(57)【要約】【課題】灯室内上下に延びる導光体の前面部に凸状ステップを設け、灯具水平方向側方への偏向出射光量を増やし、車両側方からの灯具の被視認性を高める。【解決手段】灯室S内上下に延びる棒状の導光体34と、導光体34に入射するように配置した光源32とを備え、導光体32に入射した光を後面部34bに設けた反射ステップ40で内面反射して前面部34aから前方に出射させ、前記内面反射光l-1の一部を前面部34aに設けた凸状ステップ45で灯具側方に偏向出射させる。凸状ステップ45を、内面反射光の一部l-1を側方に内面反射させる、導光体35の中心軸線Lと交差方向に延びる第２反射面46と、第２反射面46での内面反射光l-2を灯具側方水平方向に屈折出射させる出射面48とを有する三角錐形状に形成した。第２反射面46および出射面48により、導光方向の影響の緩和された灯具側方水平方向に向う偏向出射光l-3が形成される。【選択図】図２
2020129460.tif 000002
【特許請求の範囲】
【請求項１】
灯室内に上下方向に延びるように配置された棒状の導光体と、前記導光体の上下方向に光が入射するように配置された光源とを備え、
前記導光体に入射した光源光を該導光体の後面部に設けた反射ステップで内面反射し該導光体の前面部から前方に出射させるとともに、前記反射ステップで内面反射した光の一部を前記導光体の前面部に設けた凸状ステップで灯具の側方へ向けて偏向出射させるように構成された車両用灯具において、
前記凸状ステップは、前記反射ステップと前後方向に対向する位置にあって、
前記反射ステップの反射面で前方に向けて内面反射した光を灯具の側方所定方向へ向けて内面反射させる、前記導光体の延在方向と交差する方向に延在する第２の反射面と、前記第２の反射面で反射した光を灯具の側方水平方向へ向けて偏向出射させる、前記第２の反射面と交差する出射面とを備えたことを特徴とする車両用灯具。
【請求項２】
前記凸状ステップは、前記導光体の表面から突出し、前記第２の反射面と前記出射面が左右に隣接する三角錐形状に形成され、
前記反射ステップの反射面で前方に向けて内面反射した光の前記第２の反射面への入射角が臨界角以上に設定されるとともに、
前記第２の反射面で灯具の側方所定方向へ向けて内面反射した光の前記出射面への入射角が臨界角未満に設定されたことを特徴とする請求項１に記載の車両用灯具。
【請求項３】
前記第２の反射面の面積は前記出射面の面積よりも小さいことを特徴とする請求項１または２に記載の車両用灯具。
【請求項４】
前記導光体の少なくとも前面部は、水平断面円弧状に形成されるとともに、前記凸状ステップは、その第２の反射面が前記導光体の中心軸線よりも車両の幅方向内側となるように配置されたことを特徴とする請求項１〜３のいずれかに記載の車両用灯具。
【請求項５】
前記導光体は、前後方向に傾斜して延びるように配置されるとともに、前記反射ステップの反射面で前方に向けて内面反射する光の方向が前記導光体の導光方向に対し順方向となるように、前記光源が配置されたことを特徴とする請求項１〜４のいずれかに記載の車両用灯具。
【請求項６】
前記導光体は、前方凸に湾曲する形状で、上端部から下端部に向って曲率が徐々に大きくなるように形成されるとともに、略水平に後方に延びる曲率の小さい上端部側から前記光源光が入射するように構成されたことを特徴とする請求項１〜５のいずれかに記載の車両用灯具。
【請求項７】
車体に固定保持された前照灯を挟むように、正面視略Ｖ字状に延在する左右一対の前記灯室に前記導光体および前記光源がそれぞれ配置された自動二輪車用標識灯であることを特徴とする請求項１〜６のいずれかに記載の車両用灯具。
【発明の詳細な説明】
【技術分野】
【０００１】
本発明は、灯室内上下方向に延びるように配置され、入射した光源光によって発光する導光体を備えた車両用灯具に係り、特に、導光体全体を発光させる光源光の一部を導光体の前面部に設けた凸状ステップを介して灯具の側方に偏向出射させるように構成した車両用灯具に関する。
【背景技術】
【０００２】
灯室内に導光体を配置し、導光体に導かれた光源光を導光体の後面部に設けた反射ステップによって内面反射させて、導光体の前面部から灯具前方に広範囲に出射させる車両用灯具は広く知られている。そして、導光体前面部からの出射光を導光体の延在する方向に大きく拡散させることは比較的に容易であるが、導光体の延在する方向と直交する方向に出射させることは容易ではない。このため、灯室内に上下方向に延びるように配置された導光体では、灯具側方への十分な出射（配光）を行うことができなかった。
【０００３】
そこで、下記特許文献では、灯室内に上下方向に延びるように配置された棒状の導光体の例えば下端面から入射した光を、該導光体の後面部に設けた反射ステップで内面反射し前面部から前方に出射させるとともに、前記反射ステップで内面反射した光の一部を該導光体の前面部に設けた凸状ステップで灯具の側方へ向けて偏向出射させるように構成した車両用灯具が提案された。
【０００４】
即ち、導光体の前面部に、導光体の延在方向に沿って延びる横断面（水平断面）三角形状の凸状ステップを設けることで、凸状ステップの出射面からは、後面部の反射ステップで内面反射して直接出射する光の他に、反射ステップで内面反射し、さらに導光体内面で反射した光も出射させることができるので、灯具側方に十分な光を出射（配光）できる。
【先行技術文献】
【特許文献】
【０００５】
【特許文献１】特開２０１４−１２７３５６号公報（図１，２，３，４参照）
【発明の概要】
【発明が解決しようとする課題】
【０００６】
しかし、前記特許文献１では、凸状ステップが導光体の延在方向に沿って延びる横断面（水平断面）三角形状の凸条部で構成されているため、灯具の側方水平方向への出射光量を自由に調整することは難しい。
【０００７】
詳しくは、導光体の後面部に設けた反射ステップで前方に内面反射する光には、導光方向（例えば、上向き）の影響を受けた光も含まれるため、対向する一対の出射面が導光体の延在方向と平行に延在する凸状ステップでは、凸状ステップからの出射光を、導光体の延在する上下方向と直交する灯具の側方水平方向に向け出射するよう的確に制御することが難しい。即ち、凸状ステップの出射面から出射する光も、導光体の導光方向（上向き）に対する方向性の影響を少なからず受ける分、灯具の側方水平方向への出射光量がそれだけ少なく、車両側方からの灯具の被視認性が十分に満足できる、とはいえない。
【０００８】
なお、導光体の前面部から灯具の前方に出射する光にも、導光方向（例えば、上向き）の影響を受けた光が含まれるが、導光体の前面部からの出射光量は、導光体の前面部から出射する光の一部だけを利用する偏向出射光量に比べて多いため、灯具に正対する方向からの被視認性が問題となることはない。
【０００９】
即ち、発明者は、特許文献１において、凸状ステップの出射面から偏向出射する光の灯具の側方水平方向への出射光量が少ない原因は、凸状ステップの出射面が導光体の延在方向に対し平行であるため、例え、光源光が導光体の後面部に設けた反射ステップで内面反射した後、凸状ステップの一方の出射面でさらに内面反射して対向する他方の出射面から灯具側方に大きく偏向する出射光であっても、反射ステップで内面反射された光のもつ導光方向（上向き）の影響が保持されて、灯具の側方水平方向よりも上方へ向う光となるため、と考えた。
【００１０】
そこで、発明者は、導光体前面部に設ける凸状ステップを、導光体後面部の反射ステップで前方に向けて内面反射した光を灯具の側方に向けて内面反射させる、導光体の延在方向に対し交差するように延在する所定の反射面と、該所定の反射面で内面反射した光を側方所定方向に屈折出射させる、前記所定の反射面と交差する所定の出射面を備えた三角錐形状に形成すれば、凸状ステップの出射面から偏向出射する光の方向を、上下方向に延在する導光体の導光方向の影響を受けない灯具の側方水平方向に制御できる、と考えた。
【００１１】
そして、発明者は、前記した構造の導光体を備えた灯具を試作し、凸状ステップによって形成される灯具の側方水平方向に向う偏向出射光について検証したところ、良好な結果が得られたことを受けて、今回の出願に至ったものである。
【００１２】
本発明は、前記した従来技術の問題点に鑑みて、また前記した発明者の知見に基づいてなされたもので、その目的は、灯室内に上下方向に延びるように配置された導光体の前面部に設けた凸状ステップにより灯具の側方水平方向に向う偏向出射光を形成することで、車両側方からの被視認性に優れた車両用灯具を提供することにある。
【課題を解決するための手段】
【００１３】
前記目的を達成するために、本発明のある態様に係る車両用灯具は、灯室内に上下方向に延びるように配置された棒状の導光体と、前記導光体の上下方向に光が入射するように配置された光源とを備え、
前記導光体に入射した光源光を該導光体の後面部に設けた反射ステップで内面反射し該導光体の前面部から前方に出射させるとともに、前記反射ステップで内面反射した光の一部を前記導光体の前面部に設けた凸状ステップで灯具の側方へ向けて偏向出射させるように構成された車両用灯具において、
前記凸状ステップは、前記反射ステップと前後方向に対向する位置にあって、
前記反射ステップの反射面で前方に向けて内面反射した光を灯具の側方所定方向へ向けて内面反射させる、前記導光体の延在方向と交差する方向に延在する第２の反射面と、前記第２の反射面で反射した光を灯具の側方水平方向へ向けて偏向出射させる、前記第２の反射面と交差する出射面とを備えたことを特徴とする。
【００１４】
上記「棒状の導光体」は、上下方向に延びるように配置されていれば、上下・左右・前後方向に傾斜や湾曲して延びるように形成されてもよい。
【００１５】
上記「光源」は、導光体における一方の端面のみから光を入射させるように配置されていてもよいし、導光体における分岐する複数の分岐部端面から光を入射させるように配置されていてもよい。
【００１６】
また、本発明の別の態様では、前記凸状ステップは、前記導光体の表面から突出し、前記第２の反射面と前記出射面が左右に隣接する三角錐形状に形成され、
前記反射ステップの反射面で前方に向けて内面反射した光の前記第２の反射面への入射角が臨界角以上に設定されるとともに、
前記第２の反射面で灯具の側方所定方向へ向けて内面反射した光の前記出射面への入射角が臨界角未満に設定されるように構成してもよい。
【００１７】
また、本発明の別の態様では、前記第２の反射面の面積は前記出射面の面積よりも小さく形成されていてもよい。
【００１８】
また、本発明の別の態様では、前記導光体の少なくとも前面部は、水平断面円弧状に形成されるとともに、前記凸状ステップは、その第２の反射面が前記導光体の中心軸線よりも車両幅方向内側となるように配置されていてもよい。
【００１９】
また、本発明の別の態様では、前記導光体は、前後方向に傾斜して延びるように配置されるとともに、前記反射ステップの反射面で前方に向けて内面反射する光の方向が前記導光体の導光方向に対し順方向となるように、前記光源が配置されていてもよい。
【００２０】
また、本発明の別の態様では、前記導光体は、前方凸に湾曲する形状で、上端部から下端部に向って曲率が徐々に大きくなるように形成されるとともに、略水平に後方に延びる曲率の小さい上端部側から前記光源光が入射するように構成されていてもよい。
【００２１】
また、本発明の別の態様では、前記車両用灯具は、車体に固定保持された前照灯を挟むように、正面視略Ｖ字状に延在する左右一対の前記灯室に前記導光体および前記光源がそれぞれ配置された自動二輪車用標識灯であってもよい。
【発明の効果】
【００２２】
以上の説明から明らかなように、本発明によれば、導光体の前面部に設けた凸状ステップによって、導光方向の影響を受けない灯具の側方水平方向へ向かう偏向出射光が形成されて、灯具の側方水平方向への偏向出射光量が増えるので、車両側方からの被視認性に優れた車両用灯具が提供される。
【図面の簡単な説明】
【００２３】
【図１】（ａ）は本願発明の一実施形態に係る車両用灯具である自動二輪車用クリアランスランプの正面図、（ｂ）は透光カバーを外した同クリアランスランプの正面図である。
【図２】同ランプの水平断面図（図１の線II−IIに沿う拡大断面図）である。
【図３】同ランプの縦断面図（図１の線III−IIIに沿う断面図）である。
【図４】導光体の正面図である。
【図５】導光体の部分拡大正面図である。
【図６】導光体の部分拡大左側面図である。
【図７】反射ステップと凸条ステップを示す導光体の部分拡大右側面図である。
【図８】（ａ）は反射ステップの反射面を示す導光体の拡大縦断面図、（ｂ）は導光体の拡大水平断面図で、凸条ステップから出射する偏向出射光の導光体内部の光路を示す図である。
【図９】導光体の拡大斜視図で、反射ステップでの内面反射光が凸条ステップの第２反射面で内面反射して出射面から出射する偏向出射光の導光体内部の光路を示す図である。
【図１０】クリアランスランプを分解した正面図で、灯具ボディに導光体ユニットおよび透光カバーを組み付ける手順を説明する図である。
【発明を実施するための形態】
【００２４】
以下、図面を用いて、本願発明の実施の形態について説明する。
【００２５】
図１（ａ）は、本願発明の一実施形態に係る車両用灯具である自動二輪車用クリアランスランプ１０の正面図、（ｂ）は、透光カバーを外したクリアランスランプ１０の正面図である。また、図２，３は、それぞれ図１の線II−II，線III−IIIに沿う断面図、図１０は、クリアランスランプ１０を分解した正面図である。
【００２６】
これらの図に示すように、本実施形態に係る車両用灯具１０は、車両である自動二輪車の前端部に設けられるクリアランスランプであって、ランプボディ１２とその前面側に取り付けられたクリアーな素通し状の透光カバー１８とで形成される灯室Ｓ内に、導光体ユニット３０が組み込まれた構成となっている。
【００２７】
ランプボディ１２は、正面視略Ｖ字形状に形成されており、ランプボディ１２の前面側に一対の導光体ユニット３０，３０が配置されるとともに、各導光体ユニット３０，３０は、ランプボディ１２に固定された正面視略Ｖ字形状の透光カバー１８によってそれぞれ覆われている。導光体ユニット３０は、斜め上下方向に延在する導光体３４と、該導光体３４上方の端面３４ｃから該導光体３４に光を入射させるように配置された光源３２とを備え、導光体３４がクリアランスランプ１０の発光体として機能する。
【００２８】
即ち、正面視略Ｖ字形状のクリアランスランプ１０は、図１示すように、車体（図示せず）に固定保持された前照灯（図示せず）を挟むように配置されるとともに、車体（図示せず）に取り付けられたカウリング５０の中央に設けられた円形開口部５２から前照灯（図示せず）が露出するとともに、カウリング５０の左右両側に設けられた正面視斜め方向に延びる直線状開口部５４からクリアランスランプ１０の透光カバー１８の長手方向の一部が露出している（図２参照）。
【００２９】
なお、クリアランスランプ１０としては、図２において、Ｘで示す方向が「前方」（車両としても「前方」）であり、Ｙで示す方向が「前方」と直交する車幅方向内側である「右方向（ドライバーから見て右方向）」である。
【００３０】
カウリング５０は、車幅方向外側（図２では右側、即ちＹ方向と逆方向）へ向けて後方側へ回り込むように湾曲している。
【００３１】
導光体３４は、アクリル樹脂等からなる透明な合成樹脂成形品であって、図３に示すように、側面視前方に凸となるように前後方向に傾斜し、図４に示すように、正面視左右方向に傾斜し、前後・左右・上下方向に三次元的に湾曲して延びる横断面円弧形状（図２参照）の棒状導光体として構成されており、射出成形により形成される。
【００３２】
光源３２は、白色で発光する発光ダイオードで、ランプボディ１２の背面側上方において下方に延出形成された光源支持部３６（図３参照）に支持されて、その発光面が導光体３４の上端面３４ｃへ向けて配置されている。符号１７は、ランプボディ１２の背面側上方における導光体３４の上端面３４ｃに対応する位置に設けられた光源光入射用の開口である。
【００３３】
そして、この導光体ユニット３０においては、導光体３４の上端面３４ｃから入射した光源光を、導光体３４の内周面において内面反射を繰り返しながら、その下端面３４ｄへ導くこととなるが、導光体３４の後面部３４ｂに設けた反射ステップ４０の反射面４２で前方に向けて内面反射し、導光体３４の前面部３４ａから前方へ向けて出射させるように構成されている。
【００３４】
反射ステップ４０は、図６〜８に示すように、導光体３４の中心軸線Ｌと平行に形成されて、導光体３４に入射した光源光を導光させるための導光用の反射面４１と、導光体３４の中心軸線Ｌに対し傾斜（導光用の反射面４１に対し傾斜）するように形成されて、導光体３４に入射した光源光を前方所定方向に向けて反射する配光用の反射面４２を備え、導光体３４の長手方向等ピッチに鋸歯状に形成されている。
【００３５】
詳しくは、配光用の反射面４２は、図８（ａ），（ｂ）に示すように、導光体３４によって導かれた光源光をランプ１０の前後軸Ｌ１と平行な前方に向けて内面反射する。即ち、各反射ステップ４０の配光用の反射面４２は、湾曲して延びる導光体３４の姿勢（中心軸線Ｌの傾斜）に対応してその傾斜が調整されて、いずれの反射ステップ４０の反射面４２も、符号l-1に示すように、ランプ１０の前後軸Ｌ１と平行な前方に向けて光源光を内面反射するように設定されている。
【００３６】
また、反射ステップ４０の反射面４２は、図６に示すように、光源光が入射する上端部から遠い位置における反射ステップ４０ほど、その面積が大きくなるよう調整されて、導光部材３４の長手方向全域において、できるだけ同じ強度の光を前面部３４ａから前方に出射できるように構成されている。
【００３７】
そして、図２に示すように、反射ステップ４０の配光用の反射面４２で前方に内面反射した光l-1は、導光体３４の前面部３４ａから、例えば、車両前方左右方向４５度の範囲Ａ１に出射する。なお、導光体３４の前面部３４ａから出射する光l-1の照射範囲Ａ１については、反射ステップ４０の配光用の反射面４２の幅を変更することで、調整ができる。
【００３８】
一方、図２〜９に示すように、導光体３４の前面部３４ａの、反射ステップ４０に対応する位置には、反射ステップ４０の反射面４２で内面反射した光l-1の一部を偏向出射光l-3として、車幅方向外側水平方向の所定の範囲（車幅方向外側４５度から８０度の範囲）Ａ２に出射させる凸条ステップ４５が、長手方向等ピッチに設けられている。
【００３９】
凸条ステップ４５は、ランプ１０の前後軸Ｌ１に対し傾斜し、反射ステップ４０の反射面４２で前方に内面反射した光l-1を側方に内面反射する第２の反射面４６と、第２の反射面４６で内面反射した光l-2を屈折出射させる出射面４８とを備える。凸条ステップ４５は、図７,９に示すように、導光体３４の円弧状の前面部３４ａに三角錐形状に突出形成されており、凸条ステップ４５の前面には、第２の反射面４６と出射面４８が左右に隣接して配置されている。
【００４０】
反射ステップ４０および凸条ステップ４５は、導光体３４を射出成形する際に一体成形されるので、両ステップ４０，４５の形成は容易である。凸条ステップ４５については、射出成形後の離型性を考慮して、図７に示すように、三角錐の稜線領域が滑らかな曲面で形成されている。
【００４１】
また、凸条ステップ４５の第２の反射面４６は、反射ステップ４０の反射面４２で前方に向けて内面反射した光l-1の該第２の反射面４６への入射角θ1が臨界角θa以上となるようにその傾斜が調整されるとともに、出射面４８は、第２の反射面４６で側方所定方向へ向けて内面反射した光l-2の該出射面４８への入射角θ2が臨界角θa未満となるようにその傾斜が調整されて、反射ステップ４０の反射面４２で内面反射して凸状ステップ４５の第２の反射面４６に入射する光l-1のほとんどが、凸状ステップ４５の出射面４８から偏向出射光l-3として出射するようになっている。
【００４２】
また、各凸条ステップ４５の第２の反射面４６および出射面４８は、出射面４８から出射する偏向出射光l-3が車幅方向外側水平方向４５度から８０度の範囲Ａ２に向うように、導光体３４の中心軸線Ｌおよびランプ１０の前後軸Ｌ１に対する傾斜が調整されている。
【００４３】
このように、導光体３４の凸条ステップ４５を形成した前面部３０ａから、車幅方向内側４５度から車幅方向外側８０度の水平方向広範囲の領域Ａ１，Ａ２（図２参照）に光が出射配光されるように構成されている。
【００４４】
また、凸状ステップ４５によるランプ１０の側方水平方向へ向かう偏向出射光l-3の形成効率が高まるように、凸条ステップ４５の第２の反射面４６の面積が出射面４８の面積よりも小さく形成されている。
【００４５】
また、凸条ステップ４５は、ランプ１０の側方水平方向所定の範囲Ａ２（図２参照）に向う偏向出射光l-3の光量が増加するように、その第２の反射面４６が横断面円弧状の導光体３４の中心軸線Ｌよりも車両の幅方向内側となるように配置されている。
【００４６】
なお、左右一対の導光体ユニット３０を構成する左右一対の導光体３４，３４は、反射ステップ４０，凸条ステップ４５を含む全てが左右対称に形成され、光源３２，３２も左右対称に配置されている。したがって、正面視左側の導光体ユニット３０においても、導光体３４の前面部３０ａから、車幅方向内側４５度から車幅方向外側８０度の水平方向広範囲の領域に光l-1，l-3が出射配光されるように構成されている。
【００４７】
即ち、左右一対の導光体３４，３４は、車幅方向内側４５度から外側８０度の範囲に光l-1，l-3を出射するという構成が同じであるので、本実施形態では、正面視右側の導光体３４について説明し、正面視左側の導光体３４についての詳細な説明は省略する。
【００４８】
また、図３，４，１０に示すように、導光体３４の上下両端部には、導光体３４をランプボディ１２に取り付けるためのブラケット３５Ａ，３５Ｂがそれぞれ一体形成されている。
【００４９】
一方、ランプボディ１２は、図１０に示すように、正面視して、水平に対し約６０度で傾斜して延在する左右一対の帯状の傾斜領域１３，１３の下端側が帯状の水平領域１４で接続一体化された略Ｖ字形状に形成されている。一対の傾斜領域１３，１３は、図３に示すように、その縦断面が導光体３４の湾曲形状に倣う湾曲形状にそれぞれ形成されており、透光カバー１８の導光体３４に対応する領域には、導光体３４の湾曲形状に倣う形状の膨出部１８ａが形成されている。膨出部１８ａの内周面には、図２に示すように、例えば、ローレット加工やクリスタルカット加工が施されて、透光カバー１８を通して導光体３４が透けて見えず、また、膨出部１８ａから出射する光が拡散されるようになっている。図２の符号１９ａは、ローレット加工範囲、符号１９ｂは、クリスタルカット加工範囲を示す。
【００５０】
そして、一対の傾斜領域１３，１３の上端部には、左右に延びる帯状のブラケット１５がそれぞれ一体に形成され、傾斜領域１３，１３の下方位置外側にも、帯状のブラケット１６がそれぞれ一体に形成されている。
【００５１】
また、ブラケット１５には、導光体３４の上方ブラケット３５Ａに対応する大きさの導光体支持部1５Ａが形成され、導光体支持部1５Ａの背面側には、光源３２配置用の光源支持部３６が一体に形成されている。そして、導光体支持部1５Ａには、光源支持部３６に支持された光源３２の発光を導光体３４の上端面３４ｃに入射させるための開口１７が設けられている。
【００５２】
また、ランプボディ１２の水平領域１４には、導光体３４の下方ブラケット３５Ｂに対応する大きさの導光体支持部１４Ｂが形成されている。
【００５３】
そして、導光体３４のブラケット３５Ａ，３５Ｂには、ねじ挿通孔３５ａ，３５ｂが設けられ、ランプボディ１２の導光体支持部１５Ａ，１４Ｂにも、ねじ挿通孔１５ａ，１４ｂが設けられ、固定ねじ３８（図１（ｂ）参照）によって、ランプボディ１２の前面側に導光体３４が固定一体化されている。
【００５４】
また、ブラケット１５，１６には、ねじ挿通孔１５ｃ，１６ｃが設けられており、図示しない固定ねじによって、クリアランスランプ１０を車体の前面側に固定することができる。
【００５５】
特に、導光体３４を側面視する図３に示すように、導光体３４に設けられた左右に延びるブラケット３５Ａ，３５Ｂは、平行に形成されており、一方、ランプボディ１２の水平領域１４およびブラケット１５，１６も平行に形成されることで、第１には、導光体３４のランプボディ１２前面側への組み付けが容易である。第２には、クリアランスランプ１０を車体に組み付ける際、車体の前面側所定位置に設けたランプ取り付け面（図示せず）に、車体前方からクリアランスランプ１０側のブラケット１５，１６を係合させ、車体前方から後方に向けて固定ねじをねじ挿通孔１５ｃ，１６ｃに挿通することで、簡単に組み付けることができる。
【００５６】
次に、図１０を参照して、クリアランスランプ１０を組み立てる手順を説明する。
【００５７】
まず、ランプボディ１２の光源支持部３６に光源３２を固定する。次いで、導光体３４のブラケット３５Ａ，３５Ｂをランプボディ１２の導光体支持部１５Ａ，１４Ｂに整合するように配置し、さらにねじ挿通孔３５ａ，３５ｂ；１５ａ，１４ｂに固定ねじ３８を挿通して、ブラケット３５Ａ，３５Ｂをランプボディ１２の導光体支持部１５Ａ，１４Ｂに固定する。図１（ｂ）は、ランプボディ１２に、導光ユニット３０を固定した状態を示す。
【００５８】
次いで、ブラケット３５Ａ，５２Ｂを含む導光体３４全体を覆うように、透光カバー１８をランプボディ１２の前面側に組み付けて固定することで、図１(ａ)に示すように、クリアランスランプ１０として一体化される。なお、透光カバー１８のランプボディ１２への固定手段としては、凹凸ランス係合，溶着，接着その他の周知の固定手段の如何なる方法であってもよい。
【００５９】
また、クリアランスランプ１０を車体の前面側所定位置にねじ固定した後、カウリング５０を車体前面に固定することで、車体に固定された前照灯（図示せず）がカウリング５０の開口部５２から突出する。そして、カウリング５０に設けられた開口部５４からは、図２に示すように、透光カバー１８の膨出部１８ａにおける上下方向所定領域が突出し、開口部５４に露出する導光体３４によって、車幅方向内側４５度から外側８０度の水平方向広範囲の領域に出射光が照射(配光)される。
【００６０】
次に、図２〜９を参照して、本実施形態の作用、効果について詳しく説明する。
【００６１】
本実施形態では、図２,８に示すように、導光体３４に入射し、導光体３４の後面部３４ｂに設けた反射ステップ４０の反射面４２で前方に向けて内面反射した光源光l-1は、導光体３４の前面部３４ａからランプ１０の前方左右方向４５度の範囲Ａ１（図２参照）に拡散光として出射する。
【００６２】
また、反射ステップ４０の反射面４２で前方に向けて内面反射した光源光l-1の一部は、反射ステップ４０と正対する位置に設けられている凸状ステップ４５の、導光体３４の延在方向と交差する方向に延在する第２の反射面４６によって、導光方向の影響が緩和されたランプ１０の側方所定方向へ向う内面反射光l-2に制御され、さらに、第２の反射面４６と交差する出射面４８から出射する際に、導光方向の影響がさらに緩和されたランプ１０の側方水平方向へ向かう偏向出射光l-3に制御される。
【００６３】
詳しくは、導光体３４の後面部３４ｂに設けた反射ステップ４０の反射面４２では、図８（ａ），（ｂ）に示すように、導光体３４によって導かれた光源光をランプ１０の前後軸Ｌ１と平行な前方に向けて内面反射するが、反射面４２では、そもそも導光方向の影響を受けた光l-1を前方に向けて内面反射する。したがって、凸状ステップ４５の第２の反射面４６には、ランプ１０の前後軸Ｌ１と平行に調整された光のみならず、導光体３４の導光方向（下向き）の影響を受けた光も導かれる。即ち、反射ステップ４０の反射面４２で前方に向けて内面反射されて、凸状ステップ４５の第２の反射面４６に導かれた光l-1は、導光方向の影響を少なからず受けた光であることは避けられない。
【００６４】
然るに、図８，９に示すように、ランプ１０の前後軸Ｌ１に対し傾斜する凸状ステップ４５の第２の反射面４６が導光体３４の延在方向（中心軸線Ｌ）と交差する方向に延在することで、第２の反射面４６は導光体３４の導光方向（下向き）に対し傾斜して対面する形態となる。このため、第２の反射面４６は、導光体３４の延在方向（中心軸線Ｌ）に対し傾斜する分、側方に向う該第２の反射面４６の内面反射光l-2の方向を導光体３４の導光方向（下向き、図９の符号Ａで示す）と逆方向（上向き、図９の符号Ｂで示す）に矯正し、導光体３４の導光方向（下向き、図９の符号Ａで示す）の内面反射光l-2への影響を緩和する。
【００６５】
さらに、凸状ステップ４５の出射面４８が、第２の反射面４６の内面反射光l-2を出射させる際に、導光体３４の導光方向（下向き、図９の符号Ａで示す）と逆方向（上向き、図９の符号Ｂで示す）に屈折させ（矯正し）、導光体３４の導光方向（下向き、図９の符号Ａで示す）の偏向出射光l-3への影響を緩和する。
【００６６】
特に、導光体３４は、正面視左右方向に傾斜して延びるように配置されるとともに、導光体３４の上方から下方に光源光が入射するため、反射ステップ４０の反射面４２で前方に向けて内面反射した光l-1を、凸状ステップ４５によって、導光方向に対し斜め逆方向となる車幅方向内側４５度から外側８０度の水平方向に偏向出射するように制御することが必要であるところ、凸状ステップ４５の第２の反射面４６および出射面４８のランプ１０の前後軸Ｌ１および導光体３４の中心軸線Ｌに対する傾斜を調整することで、対応できる。
【００６７】
このように、本実施形態によれば、導光体３４の前面部３４ａに設けた凸状ステップ４５によって、導光方向の影響の緩和された、ランプ１０の側方水平方向へ向かう偏向出射光l-3が形成されて、ランプ１０の側方水平方向への偏向出射光量が増えるので、特に、車両側方からのランプ１０の被視認性が良好となる。
【００６８】
なお、導光体３４の前面部３４ａからランプ１０の前方左右方向４５度の広範囲に出射する光l-1には、導光方向（下向き）の影響を受けた光が含まれるが、導光体３４の前面部３４ａからの出射光量は、反射ステップ４０の反射面４２で前方に反射した光l-1の一部だけを利用する偏向出射光l-3の光量に比べて圧倒的に多いため、車両の前方からのランプ１０の被視認性が問題となることはない。
【００６９】
また、本実施形態では、凸状ステップ４５は、導光体３４の表面から突出し、第２の反射面４６と前記出射面４８が左右に隣接する三角錐形状に形成され、図８（ｂ）に示すように、反射ステップ４０の反射面４２で前方に向けて内面反射した光l-1の第２の反射面４６への入射角θ1が臨界角θa以上に設定されるとともに、第２の反射面４６でランプ１０の側方所定方向へ向けて内面反射した光l-2の出射面４８への入射角θ2が臨界角θa未満に設定されることで、凸状ステップ４５によるランプ１０の側方水平方向への偏向出射光l-3の光量が増えるように構成されている。
【００７０】
即ち、反射ステップ４０の反射面４２で内面反射して凸状ステップ４５の第２の反射面４６に入射する光l-1のほとんどが、ランプ１０の側方所定方向へ向けて内面反射され、さらに、凸状ステップ４５の第２の反射面４６で内面反射されて出射面４８に入射する光l-2のほとんどが、凸状ステップ４５の出射面４８からランプ１０の側方水平方向へ向けて偏向出射される。その結果、凸状ステップ４５によるランプ１０の側方水平方向へ向かう偏向出射光l-3の形成効率が高められて、ランプ１０の側方水平方向への偏向出射光量が増え、特に、車両側方からのランプ１０の被視認性が良好となる。
【００７１】
また、凸状ステップ４５は、導光体３４の表面から突出する三角錐形状であるので、凸状ステップ４５を反射ステップ４０と対向するように導光体３４に一体成形することは容易である。そして、導光体３４を成形する際に反射ステップ４０および凸状ステップ４５も一体に成形することで、導光体３４の製造工程が複雑になることもない。
【００７２】
また、本実施形態では、第２の反射面４６の面積を出射面４８の面積よりも小さく形成することで、第２の反射面４６で内面反射した光l-2のほとんど全てが出射面４８からランプ１０の側方水平方向へ向かう偏向出射光l-3として出射する。このため、凸状ステップ４５によるランプ１０の側方水平方向へ向かう偏向出射光l-3の形成効率が高まり、車両側方からのランプ１０の被視認性が高められている。
【００７３】
また、本実施形態では、凸状ステップ４５を、その第２の反射面４６が導光体３４の中心軸線Ｌよりも車両の幅方向内側となるように配置することで、ランプ１０の側方水平方向所定の範囲（車両幅方向外側４５度〜８０度の範囲）における偏向出射光l-3の光量が増加し、車両側方からのランプ１０の被視認性が高められている。
【００７４】
即ち、導光体３４の前面部３４ａは水平断面円弧状であるため、凸状ステップ４５の第２の反射面４６が導光体３４の中心軸線Ｌよりも車両の幅方向外側に配置されると、凸状ステップ４５の出射面４８から出射する偏向出射光は、必要以上に車両側後方に向う光となって、それだけ車両幅方向外側４５度〜８０度の範囲における偏向出射光量が減少するし、そもそも法規で規定される車幅方向外側８０度を越えるおそれがある。
【００７５】
然るに、本実施形態では、第２の反射面４８が導光体３４の中心軸線Ｌよりも車両の幅方向内側に配置されることで、凸状ステップ４５の出射面４８から出射する偏向出射光l-3を車両の望ましい側方水平方向所定の範囲（車両幅方向外側４５度〜８０度）に出射するように制御でき、それだけ側方水平方向所定の範囲における偏向出射光量が増えて、車両側方からのランプ１０の被視認性を高めることができる。
【００７６】
また、本実施形態では、導光体３４の上方ほとんどの領域が、後傾するように傾斜して延びるように配置されるとともに、反射ステップ４０の反射面４２で前方に向けて内面反射する光l-1の方向が導光体３４の導光方向に対し順方向となるように、光源３６が配置されている。
【００７７】
即ち、導光体３４の上方領域は、大きく後傾するように傾斜して延びるため、仮に、光源光を下方から導光体３４に入射させると、導光体３４の後傾する領域に設ける反射ステップ４０の反射面４２では、導光体３４の導光方向に対し逆方向となる前方に向けて光源光を内面反射させる必要がある。
【００７８】
そして、光源光が下端面３４ｄから入射する導光体３４の後面部３４ｂに、導光方向に対し逆方向となる前方に向けて光源光を内面反射させる構成として、従来公知の簡潔な構成の反射ステップの反射面を採用した場合は、配光として利用できるに足りる強さの光を前方に向けて内面反射させることは、困難で、それだけ、車両前方および側方からのランプの被視認性が低下する。
【００７９】
然るに、本実施形態では、大きく後傾するように傾斜して延在する導光体３４に対しては、反射ステップ４０の反射面４２で内面反射させる光源光の方向が導光方向に対し順方向となるように、光源光を上方から導光体３４に入射させることで、従来公知の構造（反射ステップ４０の反射面４２）を採用したとしても、配光として利用できるに足りる十分な強さの光を前方に向けて内面反射させることができ、車両前方および側方からのランプ１０の被視認性が低下することもない。
【００８０】
さらに、本実施形態で用いた反射ステップ４０に代えて、例えば、先行特許文献１に開示されている反射ステップ、その他の公知の反射ステップの構成を採用してもよい。
【００８１】
また、本実施形態では、導光体３４は、前方凸に湾曲する形状で、上端部から下端部に向って曲率が徐々に大きくなるように形成されるとともに、略水平に後方に延びる曲率の小さい上端部側から光源光が入射するように構成されている。
【００８２】
即ち、導光体３４の曲率が大きいほど導光体３４から漏れる光が多く、曲率が小さいほど導光体３４から漏れる光は少ないので、本実施形態では、略水平に後方に延びる曲率の小さい上端部側から光源光を入射させることで、導光体３４の下端部側まで光源光を導くことができる。
【００８３】
この結果、前方凸に湾曲する形状の導光体３４を備えた斬新かつ車両前方および側方からの被視認性に優れたランプ１０を提供できる。
【００８４】
また、本実施形態では、前照灯を挟むように正面視略Ｖ字状に延在する左右一対の灯室Ｓに導光体ユニット３０（導光体３４および光源３２）をそれぞれ配置した自動二輪車用のクリアランスランプ１０に本発明を適用したもので、前照灯を挟んでＶ字状に延在する導光体３４全体が発光するとともに、車両の側方水平方向における偏向出射光量が増えて、車両側方からの被視認性に優れた斬新な自動二輪車用の標識灯が提供される。
【００８５】
また、本願発明は、上記実施形態に記載された構成に限定されるものではなく、これ以外の種々の変更を加えた構成が採用可能である。
【００８６】
例えば、上記実施形態においては、光源３２として発光ダイオードが用いられているものとして説明したが、それ以外の種類の光源が用いられた構成とすることも可能である。
【００８７】
また、上記実施形態においては、導光体３４が三次元的に湾曲して延びるように配置されているものとして説明したが、直線状に延びるように配置された構成とすることも可能である。
【００８８】
また、上記実施形態では、上下方向に配設された前方凸に大きく湾曲する導光体の上端面３４ｃから光源光が導光体３４に入射するように構成されているが、導光体３４の湾曲する度合いが小さいなど、導光体３４の後面部３４ｂに設ける反射ステップの配光用の反射面で内面反射される光源光の方向（前方）が導光方向に対し逆方向とならない場合は、導光体３４の下端面３４ｄから光源光が導光体３４に入射するように構成されていてもよい。
【００８９】
さらに、導光体３４の上方または下方の端面３４ｃ，３４ｄではなく、導光体３４の上方または下方の分岐された分岐部の端面に光源光が入射するように構成されていてもよい。
【００９０】
また、前記した実施形態では、自動二輪車用の標識灯であるクリアランスランプ１０について説明したが、自動二輪車用のその他の標識灯、自動車用クリアランスランプその他の自動車用の標識灯、さらには、灯室内にヘッドランプ用の光源ユニットとクリアランスランプ用の導光体とを一体に収容した自動車用前照灯にも適用できる。
【符号の説明】
【００９１】
１０  車両用灯具である自動二輪車用のクリアランスランプ
Ｌ１  クリアランスランプの前後軸
Ｓ  灯室
１２  ランプボディ
１３  ランプボディの傾斜領域
１４  ランプボディの水平領域
１４Ｂ  導光体支持部
１５，１６  ブラケット
１５Ａ  導光体支持部
１７  光源光入射用の開口
１８  透光カバー
１８ａ  膨出部
３０  導光体ユニット
３２  光源
３４  導光体
Ｌ  導光体の中心軸線
３４ａ  導光体の前面部
３４ｂ  導光体の後面部
３４ｃ  導光体の上端面
３４ｄ  導光体の下端面
３５Ａ，３５Ｂ  導光体のブラケット
４０  反射ステップ
４１  導光用の反射面
４２  配光用の反射面
l-1  反射ステップの配光用の反射面での内面反射光
４５  凸状ステップ
４６  凸状ステップの反射面(第２の反射面)
l-2  凸状ステップの第２反射面での内面反射光
４８  凸状ステップの出射面
l-3  凸状ステップの出射面から出射する偏向出射光
θ１  反射ステップの配光用反射面での内面反射光の凸状ステップの第２反射面への入射角
θ２  凸状ステップの第２反射面での内面反射光の出射面への入射角
５０  カウリング
５２  円形開口部
５４  直線状開口部
【図１】
2020129460.tif 000003
【図２】
2020129460.tif 000004
【図３】
2020129460.tif 000005
【図４】
2020129460.tif 000006
【図５】
2020129460.tif 000007
【図６】
2020129460.tif 000008
【図７】
2020129460.tif 000009
【図８】
2020129460.tif 000010
【図９】
2020129460.tif 000011
【図１０】
2020129460.tif 000012